(57)【要約】【課題】  冬季幼児を暖かく保温させながら、自由に屋外活動を楽しめるようにする乳母車に適したシートを提供する。【解決手段】  携帯および保管のために体積を減らせるように折たたみ式になっており、前後に２対の車輪が配置されるフレームを有し、このフレームに設けられ幼児が座ったり又は寝た位置で支持するに適する勾配で座部がセッティングされるようにした乳母車用のシートであって、幼児の腰を支える座部平材と背中を支える背もたれ平材と、前記座部平材と背もたれ平材のそれぞれに内蔵型に設けられていて搭乗する幼児に保温を提供する発熱手段と、前記座部平材と背もたれ平材とを相互結合する伸縮性の連結部材と、前記背もたれ平材の上部両側に配置され、前記乳母車に装着された音響機器と連結される一対のスピーカとを備える。  【選択図】図１
2007326546.tif 000002
【特許請求の範囲】
【請求項１】
携帯および保管のために体積を減らせるように折たたみ式になっており、前後に２対の車輪が配置されるフレームを有し、このフレームに設けられ幼児が座ったり又は寝た位置で支持するに適する勾配で座部がセッティングされるようにした乳母車用のシートであって、
幼児の腰を支える座部平材と背中を支える背もたれ平材と、
前記座部平材と背もたれ平材のそれぞれに内蔵型に設けられていて搭乗する幼児に保温を提供する発熱手段と、
前記座部平材と背もたれ平材とを相互結合する伸縮性の連結部材と、
前記背もたれ平材の上部両側に配置され、前記乳母車に装着された音響機器と連結される一対のスピーカとを備えることを特徴とする乳母車用のシート。
【請求項２】
前記座部平材と背もたれ平材のそれぞれの裏面に前記フレームに前記シートを係止するための伸縮性の結束バンドを有する乳母車に適するシート。
【発明の詳細な説明】
【技術分野】
【０００１】
本発明は、幼児を乗せて運ぶための手段である乳母車、すなわち４輪型、３輪型あるいは２輪型の乗物に用いるための機能性シートに関するもので、より具体的には、冬季に幼児を寒さから保護し、情緒的に安定感を与えることができる、乳母車に適したシートに関する。
【背景技術】
【０００２】
外出時に幼児をより快適にそして便利に移動させるために、いくつもの乳母車が開発されている。１つの例をあげてみると、持ち運びや保管に便利なように体積を減らすために折りたたみ可能な、前後２対の車輪が配置された折りたたみ式フレームと、幼児が座ったり寝たりするのをサポートするのに適した勾配でセットできる背もたれ付きの座部を備えた乳母車である。
【０００３】
乳母車で幼児が屋外に出るとき、夏季の大気に直接さらされることから幼児を保護するため、遮光または風よけの別体の折りたたみ式の覆いがフレームに取り付けられる。
【発明の開示】
【発明が解決しようとする課題】
【０００４】
しかしながら、冬季は、覆いは風から幼児を保護するが、低い大気温度から幼児を保温する手段はなかった。
【０００５】
したがって、保温のためには、幼児に冬用の服を着せるか、毛布などにくるませるようにしている。この場合、その準備がわずらわしく、また、寒い気候の中、長時間外出すると、幼児の健康が心配である。毛布を用いる場合には、乳母車に備えられた安全ベルトをきっちり締めることが容易でない。幼児が安全ベルトに固定されていないと、幼児の安全な搭乗が保証されなくなる。
【０００６】
近年、冬季、夏季にかかわらずに戸外での活動が盛んになってきている。このため、特に、冬季の幼児用防寒装備が必要とされる。
【０００７】
また、乳母車で幼児が移動するとき、幼児と保護者とはお互いに応答しない。すなわち、幼児がシートに座っている間、保護者は乳母車を後ろから押している。したがって、乳母車に１人で乗っている幼児は不安を感じる。このため、幼児は情緒的に不安定になる。
【０００８】
本発明は前述のような事情を考慮したもので、その目的は、乳母車に用いるためのシートであって、冬季に幼児を保温するための面状のヒーターがそれぞれ内蔵された座部平材と背もたれ平材とを備えることで、自由な屋外活動を保証するシートを提供することにある。
【０００９】
本発明の他の目的は、乳母車に用いるためのシートであって、背もたれ平材の左右に、幼児の情緒が安定するように音声信号を出力するためのスピーカを内蔵させたシートを提供することにある。
【００１０】
さらに、本発明の他の目的は、乳母車に用いるためのシートであって、座部平材と背もたれ平材の裏面に乳母車にシートを固定するための固定バンドを備えたシートを提供することにある。
【課題を解決するための手段】
【００１１】
上記課題を解決するために、本発明の１態様によれば、携帯および保管のために体積を減らせるように折たたみ式になっており、前後に２対の車輪が配置されるフレームを有し、このフレームに設けられ幼児が座ったり又は寝た位置で支持するに適する勾配で座部がセッティングされるようにした乳母車用のシートであって、
幼児の腰を支える座部平材と背中を支える背もたれ平材と、
前記座部平材と背もたれ平材のそれぞれに内蔵型に設けられていて搭乗する幼児に保温を提供する発熱手段と、
前記座部平材と背もたれ平材とを相互結合する伸縮性の連結部材と、
前記背もたれ平材の上部両側に配置され、前記乳母車に装着された音響機器と連結される一対のスピーカとを備えるシートが提供され、冬季に幼児を寒さから保護し、また、情緒的に安定感を与えるようになる。
【発明の効果】
【００１２】
本発明の乳母車に適するシートの効果に関して説明する。
【００１３】
本発明は、座部平材と背もたれ平材とを備えたシートの各々の平材に内蔵型の発熱手段を備え、幼児を保温させるようにすることで、冬季に幼児を暖かく保温させながら、自由に屋外活動が楽しめるものである。
【００１４】
また、本発明は、シートの背もたれ平材上部の両側に幼児の音響聴取のため、スピーカを内蔵させ、乳母車の移動中、幼児の脳神経の細胞を刺激し、頭脳、認知力、感性発達に役立ち、情緒的に安定感を与える効果がある。
【００１５】
又、本発明は、シートの背もたれ平材と座部平材のそれぞれの裏面に乳母車のフレームに着脱のため、結束バンドを備え、通常の乳母車の座部に補助的で便利に用いられるようにしたものである。
【発明を実施するための最良の形態】
【００１６】
本発明の１実施の形態を図面に基づいて具体的に説明する。図１および図２は本発明の乳母車に用いるためのシートを示す図である。
【００１７】
本発明は通常の乳母車１０に用いるための機能的なシートに関する物である。乳母車１０は、持ち運びや保管に便利なように体積を減らすために折りたたみ可能な、前後２対の車輪１４が配置された折りたたみ式フレーム１２を備えている。
【００１８】
乳母車１０のフレーム１２には、幼児が座ったり寝たりするのをサポートするのに適した勾配でセットできる背もたれ付きのシートが付加的に備えられている。このシートの構造は、冬季の自由な屋外活動を保証し、また、幼児が安定感を感じるように改良されている。
【００１９】
シート２０は、幼児の腰を支える座部平材２２と幼児の背中を支える背もたれ平材２４とを含んでいる。座部平材２２と背もたれ平材２４は、伸縮性の優れたゴムバンドのような結合部材３０により折りたたみ可能に結合されている。
【００２０】
シート２０は、さまざまな大きさで製造される乳母車１０に汎用的に用いられるように所望の形状を有している。座部平材２２は、上から見てハート形状を有し、前面の中央に凹入部２２ａを備え、さまざまな乳母車１０のフレーム１２の形状構造に適切に取り付けられるようにしている。
【００２１】
そして、背もたれ平材２４は、前面から見て中央が膨らんでいる凸状を有し、上部両側に突出され、以後に説明する音響機構のスピーカが内蔵される一対の突出部２４ａが備えられる。
【００２２】
また、座部平材２２と背もたれ平材２４のそれぞれには、既存の乳母車に備えられる安全ベルトを用いてシート２０をフレーム１２に結束させるための結束孔２５が備えられている。
【００２３】
前記のように構成されるシート２０は、衝撃吸収のため、ウレタンなどの耐水性および耐熱性の材質からなる。
【００２４】
一方、前記の座部平材２２と背もたれ平材２４のそれぞれの適所には、内蔵型に設けられる発熱要素２６、２８が備えられている。本発明においては、その一例として面上発熱体を用いたものを示している。
【００２５】
ここで、面上発熱体の発熱要素２６、２８は、充電式バッテリ２３の電源を用いており、温度感知センサ２１により過熱を防止し、幼児に適する温度に選択セッティングされ適切に維持することができるようにした。
【００２６】
そして、背もたれ平材２４の上部両側の突出部２４ａにおいて、一対のスピーカ３２を内蔵させている。前記のスピーカ３２は、幼児が乳母車に搭乗した姿勢で、乳母車１０の適切な場所に装着される音響機器３４から、幼児の頭脳、認知力、感性発達に役に立つ音響を自然的に聴取することができるようにして、情緒的に安定感を与えるためのものである。ここで、音響機器３４および発熱要素ら２６、２８は、制御部３３と電気的な接続線を有し、所定の電気的な信号伝達体系によって操作されるようになる。
【００２７】
図３には、本発明のシート２０の背面図を示している。本発明のシート２０の座部平材２２と背もたれ平材２４それぞれの裏面には、フレーム１２にシート２０を係止するための伸縮性の結束バンド３６、３８が備えられている。
【００２８】
以上のように、本発明の一実施の形態を説明したが、本発明は、これに限らず請求範囲に記載された範囲内で変更可能である。
【図面の簡単な説明】
【００２９】
【図１】本発明のシートの全体的な構成を概略的に示す図である。
【図２】本発明のシートの背面図である。
【図３】本発明のシートが乳母車に装着された様子を示す側面図である。
【符号の説明】
【００３０】
１０：乳母車
２０：シート
２２：座部平材
２４：背もたれ平材
２６、２８：発熱要素
３０：結合部材
３２：スピーカ
３６、３８：結束バンド
【図１】
2007326546.tif 000003
【図２】
2007326546.tif 000004
【図３】
2007326546.tif 000005